(57)【要約】      （修正有）【課題】光ファイバー導光体を分節式に組み立てた時に、全てに均等に充分な光源が提供され、温度が上昇しにくく、安定性が高い多光源分節式光ファイバークリスマスツリーを提供する。【解決手段】本考案の多光源分節式光ファイバークリスマスツリー1は、台座11、色彩コントローラー121、数段に分節された導光ユニット13、数個の発光パーツ14、数本のコントロール線122からなる。台座内に色彩コントローラーがあって、その色彩コントローラーに電源コードとコントロール線がある。その電子式コントロール回路が発光パーツの色の変化をコントロールし、数段の分節導光ユニットに使用する電源を提供するようになっている。分節導光ユニット内部に発光パーツがあって、それぞれの発光パーツ毎に、複数の光ファイバー導光体15を差し込むようになっている。それぞれの分節が個別に光源を提供する構造になっている。【選択図】図３
0003103479.tif 000002
【実用新案登録請求の範囲】
【請求項１】
台座、色彩コントローラー、数段の分節式導光ユニット、数個の発光パーツ、及び、数本のコントロール線からなり、
台座内に、色彩コントローラーがあって、その電子式コントロール回路が発光パーツの色の変化をコントロールし、その色彩コントローラーには電源コードとコントロール線が取り付けてあり、数段の分節導光ユニットに使用する電源を提供するようになっていて、分節導光ユニット内部に発光パーツがあって、それぞれの発光パーツ毎に、複数の光ファイバー導光体を差し込むようになっているので、光ファイバー導光体の一本一本に充分な明るさの光源を均一に提供することが可能であるという特長を持つ、多光源分節式光ファイバークリスマスツリー。
【請求項２】
発光パーツが高彩度の発光ダイオードである、請求項1に記載の多光源分節式光ファイバークリスマスツリー。
【請求項３】
分節導光ユニットがそれぞれはめ込み式で結合し、各分節導光ユニット内に均一に電源コード及びコントロール線が接続しているという特長を持つ、請求項1に記載の多光源分節式光ファイバークリスマスツリー。
【請求項４】
分節導光ユニットは完全に分段して、単節の分段導光段にすることも可能で、それぞれの分節導光ユニットに電源コード及びコントロール線があり、分節導光ユニット両端に、それぞれ電源及び信号をコントロールする差し込み口及び差し込みヘッドが取り付けられていて、分節導光ユニットが差し込まれると、信号コントロール及び電源が通じるようになっているという特長を持つ、請求項1に記載の多光源分節式光ファイバークリスマスツリー。
【考案の詳細な説明】
【技術分野】
【０００１】
本考案は多光源分節式光ファイバークリスマスツリーに関する。本考案の多光源分節式光ファイバークリスマスツリーは、それぞれの節が単一で直接光源を供給することで、均等に光を伝え、光源の彩度及び明るさが増す。枝分かれしない構造なので、製造過程が簡素化されて組み立てやすく、同時に安全性も高い。
【背景技術】
【０００２】
現在、市場に出回っている従来の光ファイバークリスマスツリーは、単一光源発光の単節型光ファイバークリスマスツリーと、単一光源発光の多節型光ファイバークリスマスツリーの２種類である。
図１を参照いただきたい。この単一光源発光の単節型光ファイバークリスマスツリー１０’は、カラーパネルの上に複数の一定の長さの光ファイバー導光体１１’を取り付けて、連結させてある。このカラーパネル１２’は、モーター１４’の回転によって動く。カラーパネル１２’下方のハロゲンランプ１３’は、カラーパネル１２’の光源を提供する。モーター１４’が回転すると、カラーパネル１２’も回転し、ハロゲンランプ１３’の照射する光源によって、光ファイバー導光体１１’の色が徐々に変化する。この発光光ファイバークリスマスツリーは、単一光源を採用しているため、その使用するハロゲンランプ３’は消費する電力が大きい。長時間使用すると、温度が上昇して燃える危険がある。さらに、モーター１４’の回転の際、騒音が発生することも考えられる。
図２を参照いただきたい。この単一光源発光の多節型光ファイバークリスマスツリー２０’は、上述の単一光源発光の単節型光ファイバークリスマスツリーの導光方式と同じである。カラーパネル２２’の上に複数の一定の長さの光ファイバー導光体２１’を取り付けて、連結させてある。このカラーパネル２２’は、モーター２４’の回転によって動く。カラーパネル２２’下方のハロゲンランプ２３’は、カラーパネル２２’の光源を提供する。モーター２４’が回転すると、カラーパネル２２’も回転し、ハロゲンランプ２３’の照射する光源によって、光ファイバー主幹体２１’の色が変化する。光ファイバー主幹体２１’の先端は光ファイバー分節点２１１’で連結して光ファイバー分枝となる。デザインによって光ファイバー分節点２１１’の高さと位置は異なる。光ファイバー分節点２１１’は、さらに光ファイバー単枝節点２１２’に接続し、光ファイバー主幹体２１’は複数の導光点のユニットに枝分かれする。しかしながら、光ファイバー分節点２１１’、光ファイバー単枝節点２１２’の節数が多くなればなるほど、その導光効果が悪くなり、枝分かれした部分も脱落しやすい。
しかしながら、光源発光の単節型光ファイバークリスマスツリー１０’と比べた時、この光ファイバー導光体１１’は分段式に分解することが可能で、パッキングや収納の際に非常に便利であるものの、両者共、ハロゲンランプ及びモーターを使用しているという点で、改善する必要がある。
以下に、現在市場に出回っている２種類の同じ高さの単一光源式の光ファイバークリスマスツリーの長所と短所を表１において比較する。
【表１】
0003103479.tif 000003
【考案の開示】
【考案が解決しようとする課題】
【０００３】
本考案が解決しようとする課題は、光ファイバー導光体を分節式に組み立てた時に、全てに均等に充分な光源が提供され、温度が上昇しにくく、安定性が高い多光源分節式光ファイバークリスマスツリーを提供することにある。
【課題を解決するための手段】
【０００４】
本考案の多光源分節式光ファイバークリスマスツリーは、台座、色彩コントローラー、数段に分節された導光ユニット、数個の発光パーツ、数本のコントロール線からなる。台座内に色彩コントローラーがあって、その色彩コントローラーに電源コードとコントロール線がある。その電子式コントロール回路が発光パーツの色の変化をコントロールし、数段の分節導光ユニットに使用する電源を提供するようになっている。分節導光ユニット内部に発光パーツがあって、それぞれの発光パーツ毎に、複数の光ファイバー導光体を差し込むようになっている。それぞれの分節が個別に光源を提供する構造になっているので、光ファイバー導光体を、分節式に組み立てた時に、全てに均等に充分な光源が提供される。光ファイバー導光体の一本一本に直接光源が導かれるため、光の伝導性は均一である。さらに、発光パーツに高彩度のＬＥＤを採用しているので、温度が上昇しにくく、電子式の発光パーツコントローラーを採用して、色彩の変化を行なうことにより安定性が高い。
【０００５】
請求項１に記載の多光源分節式光ファイバークリスマスツリーは、台座、色彩コントローラー、数段の分節式導光ユニット、数個の発光パーツ、及び、数本のコントロール線からなり、台座内に、色彩コントローラーがあって、その電子式コントロール回路が発光パーツの色の変化をコントロールし、その色彩コントローラーには電源コードとコントロール線が取り付けてあり、数段の分節導光ユニットに使用する電源を提供するようになっていて、分節導光ユニット内部に発光パーツがあって、それぞれの発光パーツ毎に、複数の光ファイバー導光体を差し込むようになっているので、光ファイバー導光体の一本一本に充分な明るさの光源を均一に提供することが可能であるという特長を持つ。
【０００６】
請求項２に記載の多光源分節式光ファイバークリスマスツリーは、請求項１において、発光パーツが高彩度の発光ダイオードである。
【０００７】
請求項３に記載の多光源分節式光ファイバークリスマスツリーは、請求項１において、分節導光ユニットがそれぞれはめ込み式で結合し、各分節導光ユニット内に均一に電源コード及びコントロール線が接続しているという特長を持つ。
【０００８】
請求項４に記載の多光源分節式光ファイバークリスマスツリーは、請求項１のいて、分節導光ユニットは完全に分段して、単節の分段導光段にすることも可能で、それぞれの分節導光ユニットに電源コード及びコントロール線があり、分節導光ユニット両端に、それぞれ電源及び信号をコントロールする差し込み口及び差し込みヘッドが取り付けられていて、分節導光ユニットが差し込まれると、信号コントロール及び電源が通じるようになっているという特長を持つ。
【考案の効果】
【０００９】
本考案の多光源分節式光ファイバークリスマスツリーは、多光源を提供する構造を持ち、光ファイバー導光体が分節式に組み立てられていて、それぞれが充分な光源を得られるようになっている。光ファイバー導光体の一本一本が直接光源を導き、均一度に優れている。さらに、発光パーツが高彩度の発光ダイオードＬＥＤを採用しているので、温度が上昇することがない。また、電子式発光パーツコントローラーを使用して色彩の変化を行なうので、安定性も高い。
また、本考案の多光源分節式光ファイバークリスマスツリーは、分段式で組み立て、分解を行なうため、組み立てが簡単である上、分解すると体積が小さくなり、包装の際のパッキング材も少なくて済む。したがって、収納、包装が便利であるという特長を持つ。
【考案を実施するための最良の形態】
【００１０】
図３及び図４を参照いただきたい。本考案の多光源分節式光ファイバークリスマスツリー１は、台座１１、色彩コントローラー１２、数段の分節式導光ユニット１３、数個の発光パーツ１４、及び、数本のコントロール線１２２からなる。台座１１内に、色彩コントローラー１２があって、その電子式コントロール回路が発光パーツ１４の色の変化をコントロールし、その色彩コントローラー１２には電源コード１２１とコントロール線１２２が取り付けてあり、数段の分節導光ユニット１３に使用する電源を提供するようになっている。分節導光ユニット１３内部に発光パーツ１４（高彩度の発光ダイオードＬＥＤ）があって、それぞれの発光パーツ１４毎に、複数の光ファイバー導光体１５を差し込むようになっているので、光ファイバー導光体１５の一本一本に充分な明るさの光源を提供することが可能である。
【００１１】
図３と図５を比較参照いただきたい。分節導光ユニット１３は完全に分段して、単節の分段導光段１３にすることも可能である。それぞれの分節導光ユニット１３に電源コード１２１及びコントロール線１２２があり、分節導光ユニット１３両側に、それぞれ電源及び信号をコントロールする差し込み口１３１及び差し込みヘッド１３２が取り付けられている。分節導光ユニット１３が差し込まれると、信号コントロール及び電源が通じるようになっている。
【００１２】
本考案の実施例と従来の実施例を比較したものを、表２に示す。
【表２】
0003103479.tif 000004
【図面の簡単な説明】
【００１３】
【図１】従来の単一光源単節式光ファイバークリスマスツリーの平面図である。
【図２】従来の単一光源多節式光ファイバークリスマスツリーの平面図である。
【図３】本考案の実施例を組み立てたものを側面から見た平面図である。
【図４】本考案の実施例を上から見た平面図である。
【図５】本考案の実施例の分段結合状態の平面図である。
【符号の説明】
【００１４】
１０’      単一光源発光単節型光ファイバークリスマスツリー
１１’      光ファイバー導光体
１２’      カラーパネル
１３’      ハロゲンランプ
１４’      モーター
２０’      単一光源発光多節型光ファイバークリスマスツリー
２１’        光ファイバー主幹体
２１１’      光ファイバー分節点
２１２’      光ファイバー単枝節点 
２２’        カラーパネル
２３’        ハロゲンランプ
２４’        モーター
１            多光源分節式光ファイバークリスマスツリー
１１          台座
１２          コントローラー
１２１        色彩コントローラー
１２２        コントロール線
１３          分節導光ユニット
１３１        差し込み口
１３２        差し込みヘッド
１４          発光パーツ
１５          光ファイバー導光体
【図１】
0003103479.tif 000005
【図２】
0003103479.tif 000006
【図３】
0003103479.tif 000007
【図４】
0003103479.tif 000008
【図５】
0003103479.tif 000009